【手続補正書】
【提出日】平成23年10月12日(2011.10.12)
【手続補正１】
【補正対象書類名】特許請求の範囲
【補正対象項目名】全文
【補正方法】変更
【補正の内容】
【特許請求の範囲】
【請求項１】
ファイルの投入を受け付ける受付手段と、
前記受付手段へのファイルの投入順序を示す情報を含む印刷設定情報を生成する印刷設定情報生成手段と、
前記受付手段で受け取ったファイルに前記印刷設定情報生成手段で生成した印刷設定情報を付加して、印刷ジョブを生成する印刷ジョブ生成手段と、
前記印刷ジョブ生成手段で生成された印刷ジョブを印刷装置に送信する送信手段と、
前記印刷ジョブ生成手段で生成された印刷ジョブの前記送信手段から送信する順番を、前記印刷設定情報に含まれるファイルの投入順序を示す情報に基づいて並べる印刷ジョブ管理手段と、
前記印刷装置のプリントキューにおいて同時に管理できる複数の印刷ジョブの設定に関する処理制限値を取得する取得手段と、
前記印刷装置が複数の前記受付手段から受け付けた複数のファイルに対応する複数の印刷ジョブを連続して受信すると、前記取得手段で得た処理制限値を超えるか否かを判断する判断手段と、
前記判断手段が複数の印刷ジョブを連続して受信すると前記処理制限値を超えると判断した場合に、後続の印刷ジョブを送信しても前記処理制限値を超えないように前記後続の印刷ジョブの設定を変更する印刷ジョブ変更手段と、
を有することを特徴とするファイル制御装置。
【請求項２】
前記印刷設定情報生成手段は、前記受付手段として構成されたフォルダが有するフォルダ名称を更に含む印刷設定情報を生成し、
前記印刷ジョブ管理手段は、前記印刷ジョブ生成手段で生成された印刷ジョブの前記送信手段から送信する順番を、同じフォルダ名称を有するファイルの投入順序を示す情報に基づいて並べることを特徴とする請求項１に記載のファイル制御装置。
【請求項３】
前記印刷ジョブ変更手段は、前記後続の印刷ジョブの印刷先を処理制限値を超えない他の印刷装置に変更する印刷先変更手段を有することを特徴とする請求項１または２に記載のファイル制御装置。
【請求項４】
前記印刷ジョブ変更手段は、後続の印刷ジョブを送信しても前記処理制限値を超えないように前記後続の印刷ジョブを分割する印刷ジョブ分割手段を有することを特徴とする請求項１乃至３のいずれか１項に記載のファイル制御装置。
【請求項５】
前記印刷ジョブ分割手段は、前記後続の印刷ジョブを同じ印刷設定情報を有する複数の印刷ジョブに分割することを特徴とする請求項４に記載のファイル制御装置。
【請求項６】
前記処理制限値は、前記印刷装置のプリントキューにおいて同時に管理される複数の印刷ジョブのパーティションの設定数の合計値、または当該複数の印刷ジョブに設定される挿入紙の設定数の合計の上限値であることを特徴とする請求項１乃至５のいずれか１項に記載のファイル制御装置。
【請求項７】
複数の印刷装置を含むプリント部と、前記プリント部とネットワークを介して接続した前記複数の印刷装置の印刷処理を制御する請求項１乃至６のいずれか１項に記載のファイル制御装置とを有する印刷システム。
【請求項８】
複数の印刷装置を含むプリント部と、前記プリント部と第１のネットワークを介して接続した前記複数の印刷装置の印刷処理を制御する請求項１乃至６のいずれか１項に記載のファイル制御装置と、前記ファイル制御装置と第２のネットワークを介して接続され、前記ファイル制御装置の前記受付手段にファイルを投入するオペレータ環境とを有する印刷システム。
【請求項９】
ファイル制御装置の制御方法であって、
ファイルの投入を受け付ける受付工程と、
前記受付工程でのファイルの投入順序を示す情報を含む印刷設定情報を生成する印刷設定情報生成工程と、
前記受付工程で受け取ったファイルに前記印刷設定情報生成工程で生成した印刷設定情報を付加して、印刷ジョブを生成する印刷ジョブ生成工程と、
前記印刷ジョブ生成工程で生成された印刷ジョブを印刷装置に送信する送信工程と、
前記印刷ジョブ生成工程で生成された印刷ジョブの前記送信工程で送信する順番を、前記印刷設定情報に含まれるファイルの投入順序を示す情報に基づいて並べる印刷ジョブ管理工程と、
前記印刷装置のプリントキューにおいて同時に管理できる複数の印刷ジョブの設定に関する処理制限値を取得する取得工程と、
前記印刷装置が複数の前記受付工程で受け付けた複数のファイルに対応する複数の印刷ジョブを連続して受信すると、前記取得工程で得た処理制限値を超えるか否かを判断する判断工程と、
前記判断工程で複数の印刷ジョブを連続して受信すると前記処理制限値を超えると判断した場合に、後続の印刷ジョブを送信しても前記処理制限値を超えないように前記後続の印刷ジョブを変更する印刷ジョブ変更工程と、
を有することを特徴とするファイル制御装置の制御方法。
【請求項１０】
前記印刷ジョブ変更工程は、前記後続の印刷ジョブの印刷先を処理制限値を超えない他の印刷装置に変更する印刷先変更工程を有することを特徴とする請求項９に記載のファイル制御装置の制御方法。
【請求項１１】
前記印刷ジョブ変更工程は、後続の印刷ジョブを送信しても前記処理制限値を超えないように前記後続の印刷ジョブを分割する印刷ジョブ分割工程を有することを特徴とする請求項９または１０に記載のファイル制御装置の制御方法。
【請求項１２】
前記印刷ジョブ分割工程では、前記後続の印刷ジョブを同じ印刷設定情報を有する複数の印刷ジョブに分割することを特徴とする請求項１１に記載のファイル制御装置の制御方法。
【請求項１３】
前記処理制限値は、前記印刷装置のプリントキューにおいて同時に管理される複数の印刷ジョブのパーティションの設定数の合計値、または当該複数の印刷ジョブに設定される挿入紙の設定数の合計の上限値であることを特徴とする請求項９乃至１２のいずれか１項に記載のファイル制御装置の制御方法。
【請求項１４】
請求項９乃至１３のいずれか１項に記載のファイル制御装置の制御方法の各工程をコンピュータに実行させるためのプログラム。
【手続補正２】
【補正対象書類名】明細書
【補正対象項目名】発明の名称
【補正方法】変更
【補正の内容】
【発明の名称】ファイル制御装置及びその制御方法、印刷システム
【手続補正３】
【補正対象書類名】明細書
【補正対象項目名】００２６
【補正方法】変更
【補正の内容】
【００２６】
上述した課題を解決するために、本発明のファイル制御装置は以下の構成を有する。すなわち、ファイル制御装置において、ファイルの投入を受け付ける受付手段と、前記受付手段へのファイルの投入順序を示す情報を含む印刷設定情報を生成する印刷設定情報生成手段と、前記受付手段で受け取ったファイルに前記印刷設定情報生成手段で生成した印刷設定情報を付加して、印刷ジョブを生成する印刷ジョブ生成手段と、前記印刷ジョブ生成手段で生成された印刷ジョブを印刷装置に送信する送信手段と、前記印刷ジョブ生成手段で生成された印刷ジョブの、前記送信手段から送信する順番を、前記印刷設定情報に含まれるファイルの投入順序を示す情報に基づいて並べる印刷ジョブ管理手段と、前記印刷装置のプリントキューにおいて同時に管理できる複数の印刷ジョブの設定に関する処理制限値を取得する取得手段と、前記印刷装置が複数の前記受付手段から受け付けた複数のファイルに対応する複数の印刷ジョブを連続して受信すると、前記取得手段で得た処理制限値を超えるか否かを判断する判断手段と、前記判断手段が複数の印刷ジョブを連続して受信すると前記処理制限値を超えると判断した場合に、後続の印刷ジョブを送信しても前記処理制限値を超えないように前記後続の印刷ジョブの設定を変更する印刷ジョブ変更手段と、を有する。
【手続補正４】
【補正対象書類名】明細書
【補正対象項目名】００２７
【補正方法】削除
【補正の内容】
【手続補正５】
【補正対象書類名】明細書
【補正対象項目名】００２８
【補正方法】削除
【補正の内容】
【手続補正６】
【補正対象書類名】明細書
【補正対象項目名】００２９
【補正方法】削除
【補正の内容】
【手続補正７】
【補正対象書類名】明細書
【補正対象項目名】００３０
【補正方法】削除
【補正の内容】